(57)【要約】【課題】携帯端末と読取装置との間の通信ができない環境でも、携帯端末が保持する複数ページの画像を読取装置が読み取ることができる画像処理システムを提供する。【解決手段】画像処理システム１は、画像を表示する表示部１１を有する携帯端末２と、画像を読み取る印刷装置３とを備える。携帯端末２は、印刷装置３における読取間隔に応じた表示切替間隔を設定する切替設定部２１と、切替設定部２１で設定された表示切替間隔ごとに、表示部１１に表示する画像を切り替える表示制御部２４とを備える。印刷装置３は、読取間隔ごとに、携帯端末２の表示部１１に表示された画像を読み取る画像読取部３１を備える。【選択図】図１
2016213693.tif 000002
【特許請求の範囲】
【請求項１】
画像を表示する表示部を有する携帯端末と、画像を読み取る読取装置とを備える画像処理システムであって、
前記携帯端末は、
前記読取装置における読取間隔に応じた表示切替間隔を設定する切替設定部と、
前記切替設定部で設定された前記表示切替間隔ごとに、前記表示部に表示する画像を切り替える表示制御部とを備え、
前記読取装置は、
前記読取間隔ごとに、前記携帯端末の前記表示部に表示された画像を読み取る画像読取部
を備えることを特徴とする画像処理システム。
【請求項２】
前記表示制御部は、データがコード化された情報コードの画像を前記表示部に表示させ、
前記読取装置は、
前記画像読取部が前記携帯端末の前記表示部から読み取った情報コードの画像に基づき、コード化されたデータを復号する復号部
をさらに備えることを特徴とする請求項１に記載の画像処理システム。
【発明の詳細な説明】
【技術分野】
【０００１】
本発明は、携帯端末に表示された画像を読み取る画像処理システムに関する。
【背景技術】
【０００２】
タブレット端末やスマートフォン等の携帯端末が保持する画像を印刷する方法として、無線通信で印刷用のデータを印刷装置に送信して印刷する方法がある。
【０００３】
また、他の方法として、特許文献１には、携帯端末に表示された画像を、印刷装置においてスキャナで読み取って印刷する方法が開示されている。
【０００４】
特許文献１の技術では、印刷装置がスキャナで携帯端末の表示部に表示されている画像を読み取ると、印刷装置が通信インタフェースを介してページ表示要求を携帯端末に通知する。携帯端末は、ページ表示要求を受けると、表示部に表示する画像を更新するページめくりを行う。この後、携帯端末は、通信インタフェースを介してページ表示完了を印刷装置に通知する。印刷装置は、ページ表示完了の通知を受けると、スキャナにより携帯端末の表示部の画像を読み取る。この繰り返しにより、複数ページの画像を印刷装置でページごとに読み取り、印刷することができる。
【先行技術文献】
【特許文献】
【０００５】
【特許文献１】特開２００６−２５４２２４号公報
【発明の概要】
【発明が解決しようとする課題】
【０００６】
ところで、印刷装置が外部端末との通信ができない環境にある場合がある。例えば、セキュリティを考慮して、官公庁や、コンビニエンスストア等の公共の場に設置された印刷装置は、外部端末との通信ができないようになっていることがある。
【０００７】
特許文献１の技術では、携帯端末と印刷装置との間で通信可能であることが必要なため、印刷装置と外部端末との間の通信ができない環境では、携帯端末でページめくりができず、印刷装置が複数ページの画像を読み取ることができない。
【０００８】
本発明は上記に鑑みてなされたもので、携帯端末と読取装置との間の通信ができない環境でも、携帯端末が保持する複数ページの画像を読取装置が読み取ることができる画像処理システムを提供することを目的とする。
【課題を解決するための手段】
【０００９】
上記目的を達成するため、本発明に係る画像処理システムの第１の特徴は、画像を表示する表示部を有する携帯端末と、画像を読み取る読取装置とを備える画像処理システムであって、前記携帯端末は、前記読取装置における読取間隔に応じた表示切替間隔を設定する切替設定部と、前記切替設定部で設定された前記表示切替間隔ごとに、前記表示部に表示する画像を切り替える表示制御部とを備え、前記読取装置は、前記読取間隔ごとに、前記携帯端末の前記表示部に表示された画像を読み取る画像読取部を備えることにある。
【００１０】
本発明に係る画像処理システムの第２の特徴は、前記表示制御部は、データがコード化された情報コードの画像を前記表示部に表示させ、前記読取装置は、前記画像読取部が前記携帯端末の前記表示部から読み取った情報コードの画像に基づき、コード化されたデータを復号する復号部をさらに備えることにある。
【発明の効果】
【００１１】
本発明に係る画像処理システムの第１の特徴によれば、携帯端末の切替設定部は、読取装置における読取間隔に応じた表示切替間隔を設定する。表示制御部は、切替設定部で設定された表示切替間隔ごとに、表示部に表示する画像を切り替える。読取装置の画像読取部は、読取間隔ごとに、携帯端末の表示部に表示された画像を読み取る。これにより、携帯端末と読取装置との間の通信を行わなくても、携帯端末の表示画像の切替タイミングと読取装置の画像読取部の読取タイミングとを同期させることができる。したがって、携帯端末と読取装置との間の通信ができない環境でも、携帯端末が保持する複数ページの画像を読取装置が読み取ることができる。
【００１２】
本発明に係る画像処理システムの第２の特徴によれば、携帯端末の表示制御部は、データがコード化された情報コードの画像を表示部に表示させる。読取装置の復号部は、画像読取部が携帯端末の表示部から読み取った情報コードの画像に基づき、コード化されたデータを復号する。これにより、携帯端末が保持する画像以外のデータを読取装置が取得できる。
【図面の簡単な説明】
【００１３】
【図１】実施の形態に係る画像処理システムの構成を示すブロック図である。
【図２】図１に示す画像処理システムにおいて、印刷装置で携帯端末印刷モードでの印刷を行う際の携帯端末の動作を説明するためのフローチャートである。
【図３】図１に示す画像処理システムにおいて、印刷装置で携帯端末印刷モードでの印刷を行う際に携帯端末の表示部に表示される画像の一例を示す図である。
【図４】図１に示す画像処理システムにおいて、印刷装置で携帯端末印刷モードでの印刷を行う際に携帯端末の表示部に表示される画像の一例を示す図である。
【図５】図１に示す画像処理システムにおいて、印刷装置で携帯端末印刷モードでの印刷を行う際に携帯端末の表示部に表示される画像の一例を示す図である。
【図６】図１に示す画像処理システムにおいて、携帯端末印刷モードでの印刷を行う際の印刷装置の動作を説明するためのフローチャートである。
【発明を実施するための形態】
【００１４】
以下、本発明の実施の形態について、図面を参照して説明する。なお、各図面を通じて同一もしくは同等の部位や構成要素には、同一もしくは同等の符号を付し、その説明を省略もしくは簡略化する。
【００１５】
図１は、本発明の実施の形態に係る画像処理システムの構成を示すブロック図である。図１に示すように、本実施の形態に係る画像処理システム１は、携帯端末２と、印刷装置（請求項の読取装置に相当）３とを備える。
【００１６】
携帯端末２は、タブレット端末、スマートフォン等からなる。携帯端末２は、表示部１１と、入力部１２と、記憶部１３と、制御部１４とを備える。
【００１７】
表示部１１は、画像を表示する。表示部１１は、液晶表示パネル等を有する。
【００１８】
入力部１２は、ユーザによる入力操作を受け付ける。入力部１２は、操作ボタン、表示部１１上に重ねて配置されたタッチパネル等を有する。
【００１９】
記憶部１３は、画像データ等の各種のデータおよびプログラムを記憶する。記憶部１３は、フラッシュメモリ等からなる。
【００２０】
制御部１４は、携帯端末２全体の動作を制御する。制御部１４は、ＣＰＵ、メモリ等を備えて構成されている。制御部１４は、切替設定部２１と、印刷ジョブ生成部２２と、コード生成部２３と、表示制御部２４とを有する。制御部１４の各部は、ＣＰＵが記憶部１３に格納されたプログラムにしたがって動作すること等により構成される。
【００２１】
切替設定部２１は、印刷装置３における携帯端末印刷モードでの画像読取部３１による画像の読取間隔に応じた表示切替間隔を設定する。表示切替間隔は、印刷装置３における携帯端末印刷モードでの印刷を行う際に、携帯端末２の表示部１１に表示する画像を切り替える間隔である。携帯端末印刷モードは、印刷装置３が、携帯端末２が保持している画像を印刷するモードである。
【００２２】
印刷ジョブ生成部２２は、携帯端末印刷モードでの印刷対象の画像データを印刷装置３で印刷するためのＰＤＬ（Page Description Language）形式の印刷ジョブデータを生成する。
【００２３】
コード生成部２３は、印刷ジョブ生成部２２で生成された印刷ジョブデータをコード化した情報コードを生成する。具体的には、コード生成部２３は、印刷ジョブデータをＱＲコード（登録商標）に変換する。
【００２４】
表示制御部２４は、表示部１１を制御して画像を表示させる。
【００２５】
印刷装置３は、原稿の画像を読み取って印刷する。印刷装置３は、画像読取部３１と、印刷部３２と、操作パネル３３と、記憶部３４と、制御部３５とを備える。
【００２６】
画像読取部３１は、原稿の画像を光学的に読み取り、読取画像データを生成する。画像読取部３１は、原稿が載置される原稿台、原稿に光を照射する光源、原稿からの反射光を受光するラインセンサ（いずれも図示せず）等を有するスキャナからなる。
【００２７】
印刷部３２は、用紙に画像を印刷する。印刷部３２は、インクジェットヘッド等の印刷機構（図示せず）を有する。
【００２８】
操作パネル３３は、各種の入力画面等の画像を表示するとともに、ユーザによる入力操作を受け付ける。操作パネル３３は、画像を表示する液晶表示パネル等を有する表示部と、各種の操作ボタンおよびタッチパネルを有する入力部（いずれも図示せず）とを備える。
【００２９】
記憶部３４は、各種のデータおよびプログラムを記憶する。記憶部３４は、ＨＤＤ（Hard Disk Drive）等からなる。
【００３０】
制御部３５は、印刷装置３全体の動作を制御する。制御部３５は、ＣＰＵ、メモリ等を備えて構成されている。制御部３５は、画像読取制御部４１と、印刷制御部４２と、復号部４３とを有する。制御部３５の各部は、ＣＰＵが記憶部３４に格納されたプログラムにしたがって動作すること等により構成される。
【００３１】
画像読取制御部４１は、画像読取部３１の動作を制御する。画像読取制御部４１は、携帯端末印刷モードでは、予め設定された読取間隔で読取動作を行うよう画像読取部３１を制御する。
【００３２】
印刷制御部４２は、印刷部３２の動作を制御する。
【００３３】
復号部４３は、携帯端末印刷モードにおいて、画像読取部３１が携帯端末２の表示部１１から読み取ったＱＲコードの画像に基づき、印刷ジョブデータを復号する。
【００３４】
次に、印刷装置３で携帯端末印刷モードでの印刷を行う際の画像処理システム１の動作について説明する。
【００３５】
まず、印刷装置３で携帯端末印刷モードでの印刷を行う際の携帯端末２の動作について説明する。
【００３６】
図２は、印刷装置３で携帯端末印刷モードでの印刷を行う際の携帯端末２の動作を説明するためのフローチャートである。図２のフローチャートの処理は、ユーザによる印刷対象の画像データを指定する操作を入力部１２で受け付けたことにより開始となる。
【００３７】
図２のステップＳ１において、印刷ジョブ生成部２２は、ユーザにより指定された印刷対象の画像データを、記憶部１３に記憶されている画像データのなかから選択する。
【００３８】
次いで、ステップＳ２において、切替設定部２１は、印刷装置３における携帯端末印刷モードでの画像読取部３１による画像の読取間隔と同じ時間を、表示切替間隔として設定する。
【００３９】
次いで、ステップＳ３において、印刷ジョブ生成部２２は、印刷対象の画像データを印刷装置３で印刷するためのＰＤＬ形式の印刷ジョブデータを生成する。印刷ジョブデータは、ジョブ情報と、印刷データとを有する。ジョブ情報は、印刷ページ数、オプション設定等の情報を含むものである。印刷データは、印刷される画像の内容を示すものである。
【００４０】
次いで、ステップＳ４において、コード生成部２３は、ジョブ情報のＱＲコードを生成する。ジョブ情報のＱＲコードは、複数に分かれることがある。
【００４１】
次いで、ステップＳ５において、コード生成部２３は、ジョブ情報のＱＲコードを配置した表示用画像データを生成する。表示用画像データは、携帯端末印刷モードにおいて表示部１１に表示されて印刷装置３の画像読取部３１に読み取られる画像のデータである。
【００４２】
次いで、ステップＳ６において、コード生成部２３は、印刷データにおけるページ番号を示す変数ｉに「１」を設定する。
【００４３】
次いで、ステップＳ７において、コード生成部２３は、印刷データに基づき、ｉページ目のＱＲコードを生成する。ここで、印刷データをＱＲコードに変換すると、１ページ分の印刷データが複数のＱＲコードに分かれる。
【００４４】
ｉページ目の最初のＱＲコードには、ページの開始を示す情報（ページ開始コマンド）が含まれる。また、ｉページ目の最後のＱＲコードには、ページの終了を示す情報（改ページコマンド）が含まれる。また、ｉページ目が最後のページである場合、そのページの最後のＱＲコードには、ページの終了を示す情報（改ページコマンド）、および印刷ジョブの終了を示す情報（ジョブ終了コマンド）が含まれる。
【００４５】
次いで、ステップＳ８において、コード生成部２３は、ｉページ目の各ＱＲコードを表示用画像データ上に追加して配置する。
【００４６】
ここで、印刷ジョブデータのＱＲコードは、表示部１１に１ページだけではすべてを表示できないことがある。このため、表示用画像データは、表示部１１における複数ページ分の画像データになることがある。
【００４７】
次いで、ステップＳ９において、コード生成部２３は、変数ｉが、最後のページであることを示す「Ｉ」であるか否かを判断する。
【００４８】
ｉ＝Ｉではないと判断した場合（ステップＳ９：ＮＯ）、ステップＳ１０において、コード生成部２３は、変数ｉに「１」を加算する。この後、コード生成部２３は、ステップＳ７へ戻る。
【００４９】
ｉ＝Ｉであると判断した場合（ステップＳ９：ＹＥＳ）、ステップＳ１１において、表示制御部２４は、入力部１２に対する操作により、印刷開始が指示されたか否かを判断する。印刷開始は指示されていないと判断した場合（ステップＳ１１：ＮＯ）、表示制御部２４は、ステップＳ１１を繰り返す。
【００５０】
印刷開始が指示されたと判断した場合（ステップＳ１１：ＹＥＳ）、ステップＳ１２において、表示制御部２４は、表示用画像データにおけるページ番号を示す変数ｋに「１」を設定する。
【００５１】
ここで、携帯端末２上で印刷開始を指示する操作が行われた後、携帯端末２は、ユーザにより、印刷装置３の画像読取部３１の原稿台上に載置される。
【００５２】
次いで、ステップＳ１３において、表示制御部２４は、表示用画像データにおけるｋページ目の画像を表示部１１に表示させる。
【００５３】
次いで、ステップＳ１４において、表示制御部２４は、ｋページ目を開始してから表示切替間隔分の時間が経過したか否かを判断する。ｋページ目の表示を開始してから表示切替間隔分の時間は経過していないと判断した場合（ステップＳ１４：ＮＯ）、表示制御部２４は、ステップＳ１４を繰り返す。
【００５４】
ｋページ目の表示を開始してから表示切替間隔分の時間が経過したと判断した場合（ステップＳ１４：ＹＥＳ）、ステップＳ１５において、表示制御部２４は、変数ｋが、最後のページであることを示す「Ｋ」であるか否かを判断する。
【００５５】
ｋ＝Ｋではないと判断した場合（ステップＳ１５：ＮＯ）、ステップＳ１６において、表示制御部２４は、変数ｋに「１」を加算する。この後、表示制御部２４は、ステップＳ１３に戻る。
【００５６】
ｋ＝Ｋであると判断した場合（ステップＳ１５：ＹＥＳ）、表示制御部２４は、一連の動作を終了する。
【００５７】
上述した図２のフローチャートの処理により、ＰＤＬ形式の印刷ジョブデータをコード化した各ＱＲコードの画像が携帯端末２の表示部１１に表示される。ＱＲコードが複数ページに分かれる場合は、印刷装置３の画像読取部３１による画像の読取間隔に応じた表示切替間隔ごとに、表示部１１の画像が切り替えられる。
【００５８】
上述した図２のフローチャートの処理により携帯端末２の表示部１１に表示される画像の一例を図３〜図５に示す。図３〜図５は、２ページからなる印刷対象の画像データを印刷するためのＰＤＬ形式の印刷ジョブデータをコード化したＱＲコードが、３ページに分かれて表示される場合における表示画像の例を示す。
【００５９】
図３〜図５に示すように、携帯端末２の表示部１１には、第１ＱＲコード群Ｇ１と、第２ＱＲコード群Ｇ２と、第３ＱＲコード群Ｇ３とが表示される。
【００６０】
第１ＱＲコード群Ｇ１は、ＱＲコード５１〜５３からなる。ＱＲコード５１〜５３は、ジョブ情報のＱＲコードである。第１ＱＲコード群Ｇ１は、表示画像の１ページ目に表示される。
【００６１】
第２ＱＲコード群Ｇ２は、ＱＲコード６１〜７５からなる。ＱＲコード６１〜７５は、印刷データにおける１ページ目のＱＲコードである。ＱＲコード６１〜６９は、表示画像の１ページ目に表示される。残りのＱＲコード７０〜７５は、表示画像の２ページ目に表示される。
【００６２】
印刷データにおける１ページ目の最初のＱＲコードであるＱＲコード６１には、１ページ目の開始を示す情報（ページ開始コマンド）が含まれている。印刷データにおける１ページ目の最後のＱＲコードであるＱＲコード７５には、１ページ目の終了を示す情報（改ページコマンド）が含まれている。
【００６３】
第３ＱＲコード群Ｇ３は、ＱＲコード８１〜９６からなる。ＱＲコード８１〜９６は、印刷データにおける２ページ目のＱＲコードである。ＱＲコード８１〜８６は、表示画像の２ページ目に表示される。残りのＱＲコード８７〜９６は、表示画像の３ページ目に表示される。
【００６４】
印刷データにおける２ページ目の最初のＱＲコードであるＱＲコード８１には、２ページ目の開始を示す情報（ページ開始コマンド）が含まれている。印刷データにおける最後のページである２ページ目の最後のＱＲコードであるＱＲコード９６には、２ページ目の終了を示す情報（改ページコマンド）、および印刷ジョブの終了を示す情報（ジョブ終了コマンド）が含まれている。
【００６５】
次に、携帯端末印刷モードでの印刷を行う際の印刷装置３の動作について説明する。
【００６６】
ユーザが携帯端末２上で印刷開始を指示する操作を行った後、携帯端末２を印刷装置３の画像読取部３１の原稿台上に載置し、操作パネル３３を操作して携帯端末印刷モードを設定し、印刷開始を指示すると、印刷装置３は、携帯端末印刷モードでの印刷を実行する。
【００６７】
図６は、携帯端末印刷モードでの印刷を行う際の印刷装置３の動作を説明するためのフローチャートである。
【００６８】
図６のステップＳ２１において、画像読取制御部４１は、操作パネル３３に対する操作により、印刷開始が指示されたか否かを判断する。印刷開始は指示されていないと判断した場合（ステップＳ２１：ＮＯ）、画像読取制御部４１は、ステップＳ２１を繰り返す。
【００６９】
印刷開始が指示されたと判断した場合（ステップＳ２１：ＹＥＳ）、ステップＳ２２において、画像読取制御部４１は、読取動作を行うよう画像読取部３１を制御する。画像読取部３１は、読取動作を行って読取画像データを生成する。
【００７０】
次いで、ステップＳ２３において、復号部４３は、読取画像データに含まれるＱＲコードの画像に基づき、ＰＤＬデータを復号する。
【００７１】
次いで、ステップＳ２４において、復号部４３は、復号されたＰＤＬデータに印刷ジョブの終了を示す情報（ジョブ終了コマンド）が含まれているか否かを判断する。
【００７２】
復号されたＰＤＬデータに印刷ジョブの終了を示す情報は含まれていないと復号部４３が判断した場合（ステップＳ２４：ＮＯ）、ステップＳ２５において、画像読取制御部４１は、次の読取タイミングになったか否かを判断する。ここで、画像読取制御部４１は、前回の読取動作から読取間隔分の時間が経過すると、次の読取タイミングになったと判断する。
【００７３】
次の読取タイミングになっていないと判断した場合（ステップＳ２５：ＮＯ）、画像読取制御部４１は、ステップＳ２５を繰り返す。次の読取タイミングになったと判断した場合（ステップＳ２５：ＹＥＳ）、画像読取制御部４１は、ステップＳ２２へ戻る。
【００７４】
ステップＳ２４において、ステップＳ２３で復号されたＰＤＬデータに印刷ジョブの終了を示す情報が含まれていると復号部４３が判断した場合（ステップＳ２４：ＹＥＳ）、ステップＳ２６において、印刷制御部４２は、印刷を実行する。
【００７５】
ここで、ステップＳ２３で復号されたＰＤＬデータに印刷ジョブの終了を示す情報が含まれている場合、印刷ジョブデータの復号が完了している。印刷制御部４２は、復号された印刷ジョブデータに基づき、印刷部３２を制御して印刷を実行する。
【００７６】
これにより、携帯端末２に記憶されている印刷対象の画像データの画像が、印刷装置３で印刷される。印刷ジョブデータには、ページの開始を示す情報およびページの終了を示す情報が含まれているので、１ページ分のＱＲコード群が、図３〜図５の例のように携帯端末２の表示画像において複数ページに分かれていても、印刷装置３では問題なく各ページを印刷できる。
【００７７】
以上説明したように、画像処理システム１では、携帯端末印刷モードにおいて、携帯端末２の切替設定部２１が、印刷装置３における携帯端末印刷モードでの画像読取部３１による画像の読取間隔に応じた表示切替間隔を設定する。携帯端末２が印刷装置３の画像読取部３１の読取台に載置された状態で、表示制御部２４は、切替設定部２１で設定された表示切替間隔ごとに、表示部１１に表示する画像を切り替える。印刷装置３の画像読取部３１は、予め設定された読取間隔ごとに読取動作を行う。
【００７８】
これにより、携帯端末２と印刷装置３との間の通信を行わなくても、携帯端末２の表示画像の切替タイミングと印刷装置３の画像読取部３１の読取タイミングとを同期させることができる。この結果、印刷装置３の画像読取部３１が、携帯端末２の表示部１１に表示される各ページの画像を読み取ることができる。したがって、携帯端末２と印刷装置３との間の通信ができない環境でも、携帯端末が保持する複数ページの画像を印刷装置３が読み取ることができる。
【００７９】
また、携帯端末２の表示制御部２４は、ＰＤＬ形式の印刷ジョブデータがコード化されたＱＲコードの画像を表示させる。印刷装置３の復号部４３は、画像読取部３１が携帯端末２の表示部１１から読み取ったＱＲコードの画像に基づき、印刷ジョブデータを復号する。これにより、印刷装置３が、携帯端末２が保持する印刷ジョブデータを取得できる。
【００８０】
そして、印刷装置３において、印刷制御部４２が印刷ジョブデータに基づく印刷を実行することで、携帯端末２の表示部１１に表示された画像を読み取って直接印刷する場合に生じるような画質の劣化を抑えることができる。
【００８１】
なお、上述した実施の形態では、情報コードとしてＱＲコードを用いたが、他の情報コードを用いてもよい。例えば、バーコードを用いてもよい。
【００８２】
また、上述した実施の形態では、携帯端末２において、画像データをＰＤＬ形式の印刷ジョブデータへ変換し、その印刷ジョブデータをコード化したが、印刷対象の画像自体を表示部１１に表示し、その表示画像を表示切替間隔ごとに切り替えるようにしてもよい。また、印刷装置３において、読取画像データを用いた印刷を行わず、読取画像データの保存や外部装置への転送等を行ってもよい。
【００８３】
また、上述した実施の形態では、印刷ジョブデータをコード化したが、コード化の対象となるデータはこれに限らない。データのコード化により、携帯端末２が保持する画像以外のデータを印刷装置３が取得できる。
【００８４】
また、印刷装置３の画像読取部３１をスキャナ以外で構成してもよい。例えば、画像読取部３１をウェブカメラで構成してもよい。
【００８５】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００８６】
１  画像処理システム
２  携帯端末
３  印刷装置
１１  表示部
１２  入力部
１３  記憶部
１４  制御部
２１  切替設定部
２２  印刷ジョブ生成部
２３  コード生成部
２４  表示制御部
３１  画像読取部
３２  印刷部
３３  操作パネル
３４  記憶部
３５  制御部
４１  画像読取制御部
４２  印刷制御部
４３  復号部
【図１】
2016213693.tif 000003
【図２】
2016213693.tif 000004
【図３】
2016213693.tif 000005
【図４】
2016213693.tif 000006
【図５】
2016213693.tif 000007
【図６】
2016213693.tif 000008